Podtech/llm-jp-corpus-v4-ja_patent huggingface dataset:
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
アクリレート基を含有するモノマー、もしくはアクリレート基を含有するオリゴマー、またはこれらの組み合わせを含むエネルギー硬化性印刷用インクまたはコーティング組成物であって、前記組成物は、４．０を超えるアクリレート基相対濃度を有する、エネルギー硬化性印刷用インクまたはコーティング組成物。
【請求項２】
前記モノマーは、プロポキシ化ネオペンチルグリコールジアクリレート（２ＰＯ−ＮＰＧＤＡ）、１，６−ヘキサンジオールジアクリレート（ＨＤＯＤＡ）、ヘキサンジオールジアクリレート（ＨＤＤＡ）、ジペンタエリスリトールヘキサアクリレート（ＤＰＨＡ）、エトキシ化ヘキサンジオールジアクリレート（ＥＯＨＤＤＡ）、トリメチロールプロパントリアクリレート（ＴＭＰＴＡ）、エトキシ化トリメチロールプロパントリアクリレート（ＥＯＴＭＰＴＡ）、ジプロピレングリコールジアクリレート（ＤＰＧＤＡ）、およびこれらの組み合わせの中から選択される、請求項１に記載のエネルギー硬化性印刷用インクまたはコーティング組成物。
【請求項３】
前記オリゴマーは、酸性アクリレート、エポキシアクリレート、ポリエステルアクリレート、エトキシ化アクリレート、不飽和ポリエステル、ポリアミドアクリレート、ポリイミドアクリレート、ウレタンアクリレート、およびこれらの組み合わせの中から選択される、請求項１または２に記載のエネルギー硬化性印刷用インクまたはコーティング組成物。
【請求項４】
酸性またはアミン変性接着促進剤をさらに含む、請求項１から３のいずれか一項に記載のエネルギー硬化性印刷用インクまたはコーティング組成物。
【請求項５】
顔料、もしくは染料、またはこれらの組み合わせをさらに含む、請求項１から４のいずれか一項に記載のエネルギー硬化性印刷用インクまたはコーティング組成物。
【請求項６】
光開始剤、樹脂、油、タルク、顔料分散剤、ゲル化ビヒクル、ポリビニルエチルエーテルおよびポリ（ｎ−ブチル）アクリレート、ワックス、アンモニア、消泡剤、安定剤、シリコーンおよび可塑剤、ならびにこれらの組み合わせの中から選択される材料をさらに含む、請求項１から４のいずれか一項に記載のエネルギー硬化性印刷用インクまたはコーティング組成物。
【請求項７】
前記モノマーは、前記組成物の重量に基づいて最大７５重量％の量で存在する、請求項１から６のいずれか一項に記載のエネルギー硬化性印刷用インクまたはコーティング組成物。
【請求項８】
前記オリゴマーは、前記組成物の重量に基づいて最大５０重量％の量で存在する、請求項１から７のいずれか一項に記載のエネルギー硬化性印刷用インクまたはコーティング組成物。
【請求項９】
前記組成物は、モノマーおよびオリゴマーを含み、モノマー：オリゴマーの比率は、Ｘ：Ｙに由来し、式中、Ｘは、０．１〜１００の中から選択され、Ｙは、０．１〜１０の中から選択される、請求項１から８のいずれか一項に記載のエネルギー硬化性印刷用インクまたはコーティング組成物。
【請求項１０】
前記インクまたはコーティングの粘度は、１００秒−１の剪断速度で、２５℃で測定されるとき、２，０００ｃＰ以下である、請求項１から９のいずれか一項に記載のエネルギー硬化性印刷用インクまたはコーティング組成物。
【請求項１１】
エネルギー硬化性印刷用インクまたはコーティング組成物を配合する方法であって、
アクリレート基を含有するモノマー、もしくはアクリレート基を含有するオリゴマー、またはこれらの組み合わせを選択することと、
４．０を超えるアクリレート基相対濃度を有するインクまたはコーティング組成物をもたらす量で前記モノマー、もしくはオリゴマー、またはこれらの組み合わせを組み込むことと、
を含む、方法。
【請求項１２】
前記インクまたはコーティングは、フレキソ印刷、グラビア印刷、ローラコーティング、カスケードコーティング、カーテンコーティング、スロットコーティング、ワイヤバウンドバー、およびデジタルからなる群から選択されるプロセスによって堆積に好適な粘度を有するように配合される、請求項１１に記載の方法。
【請求項１３】
前記堆積プロセスは、フレキソ印刷プロセスである、請求項１２に記載の方法。
【請求項１４】
前記インクまたはコーティングは、ＵＶ、ＬＥＤ、Ｈ−ＵＶ、およびＥＢ放射のうちのいずれか１つ、またはこれらの組み合わせによって硬化可能である、請求項１１または請求項１２に記載の方法。
【請求項１５】
前記インクまたはコーティングの粘度は、１００秒−１の剪断速度で、２５℃で測定されるとき、２，０００ｃＰ以下である、請求項１１から１４のいずれか一項に記載の方法。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
周縁部と、個別の電気駆動領域と、各々が透明な導電材料の層を含む少なくとも２つの基材とを含む、電気駆動レンズを製造する方法であって、
前記周縁部と前記電気駆動領域との間の電気的接続を確立するために必要とされる前記透明な導電材料の領域を、前記透明な導電材料を切断することによって電気的接続を確立するために必要とされない前記透明な導電材料の領域から絶縁するステップと、
前記周縁部と前記電気駆動領域との間の電気的接続を確立するために必要とされない領域を切断して、前記レンズの上側の周縁部と前記レンズの下側の周縁部との間の導電性を制限するステップと、
を備える、方法。
【請求項２】
電気的接続を確立するために必要とされる前記透明な導電材料の前記領域を絶縁するステップが、前記基材の各々の電極の周りのパターンを切断するステップを含む、請求項１に記載の方法。
【請求項３】
前記切断がレーザー切断である、請求項１に記載の方法。
【請求項４】
前記切断が１ｍｍ未満の幅である、請求項１に記載の方法。
【請求項５】
電気的接続を確立するために必要とされる前記透明な導電材料の領域を絶縁する前記ステップが、複数の交差する線を切断するステップを含む、請求項１に記載の方法。
【請求項６】
前記複数の交差する線が、少なくとも１つの実質的な直線および少なくとも１つの曲線を含む、請求項５に記載の方法。
【請求項７】
電気的接続を確立するために必要とされない領域を切断する前記ステップが、前記領域の少なくとも１つを複数の部分へと切断するステップを含む、請求項１に記載の方法。
【請求項８】
周縁部と、個別の電気駆動領域と、各々が透明な導電材料の層を含む少なくとも２つの基材と、を備える、電気駆動光学素子であって、
前記周縁部と前記電気駆動領域との間の電気的接続を確立するために必要とされる前記透明な導電材料の領域を、前記透明な導電材料をレーザー切断することによって、電気的接続を確立するために必要とされない前記透明な導電材料の領域から絶縁するステップと、
前記周縁部と前記電気駆動領域との間の電気的接続を確立するために必要とされない領域をレーザー切断して、レンズの上側の周縁部と前記レンズの下側の周縁部との間の導電性を制限するステップと、
を含むプロセスによって形成される、電気駆動光学素子。
【請求項９】
周縁部と、
個別の電気駆動領域と、
各々が透明な導電材料の層を含む少なくとも２つの基材と、を備え、
前記周縁部と前記電気駆動領域との間の電気的接続を確立するために必要とされる前記透明な導電材料の領域が、レーザー切断によって、電気的接続を確立するために必要とされない前記透明な導電材料の領域から絶縁され、
前記周縁部と前記電気駆動領域との間の電気的接続を確立するために必要とされない領域が、レンズの上側の周縁部と前記レンズの下側の周縁部との間の導電性を制限するためにさらにレーザー切断される、
電気駆動レンズ。
【請求項１０】
透明な導電材料のそれぞれの層と物理的に接触しており端部が前記周縁部に沿って露出している、各基材上の追加の電極構造をさらに備える、請求項９に記載のレンズ。
【請求項１１】
前記基材の少なくとも１つが表面レリーフ回折素子を備える、請求項９に記載のレンズ。
【請求項１２】
前記レーザー切断が１ｍｍ未満の幅を有する、請求項９に記載のレンズ。
【請求項１３】
周縁部と、個別の電気駆動領域と、各々が透明な導電材料の層を含む少なくとも第１の基材および第２の基材と、を含む、電気駆動レンズを製造する方法であって、
前記第１の基材の透明な導電材料の前記層を、複数の部分を含む第１のパターンへとレーザー切断するステップと、
前記第２の基材の透明な導電材料の前記層を、複数の部分を含む第２のパターンへとレーザー切断するステップと、を備える、方法。
【請求項１４】
前記複数の部分が実質的に帯状である、請求項７又は１３に記載の方法。
【請求項１５】
表面レリーフ回折素子を備えるように、前記基材の少なくとも１つを形成するステップをさらに備える、請求項１又は１３に記載の方法。
【手続補正書】
【提出日】平成28年2月25日(2016.2.25)
【手続補正１】
【補正対象書類名】明細書
【補正対象項目名】００３４
【補正方法】変更
【補正の内容】
【００３４】
図４に示すような本発明のさらなる実施形態では、電圧及び電流の個別の制御は、ＣＯ２からＣＯへの転化の最終段階にのみ適用される。その際、バルクのＣＯ２転化は、全てのセルが同じ電流で運転される慣用的なスタック中で行われる。これにより、例えば、全てのセルで共通の電流でゆっくりと稼働する慣用的なスタックでは、１００％ＣＯ２の流れを、１５％のＣＯ２及び８５％のＣＯに転化することができた。第二段階（典型的には、より少ないセル及び高い流れを含む）において、異なるセル又はセルのグループについて電流が個別に制御されるスタック中で、その１５％のＣＯ２及び８５％のＣＯは、高純度のＣＯ、例えば、９９．７％のＣＯ、及び０．３％のＣＯ２に転化される。バルクのＣＯ２転化のための比較的安価で慣用的なＳＯＥＣスタックを、そして小規模な転化のための比較的高価な電圧及び電流の個別制御ＳＯＥＣスタックを提供するために、この実施形態は費用効率が高い。
【手続補正２】
【補正対象書類名】明細書
【補正対象項目名】００８０
【補正方法】変更
【補正の内容】
【００８０】
試験１は、均一な圧力で運転され、そして酸素側のフラッシングに空気が使用されるスタックの不純物（Ｎ２及びＯ２）を示している。
【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
以下の工程：
ａ）容器（２）内に燃料棒（２０）または燃料棒部分を装填する、
ｂ）容器（２）の一端を洗流ガス導管に接続する、
ｃ）容器（２）を洗流ガス（Ｇ）で排水および洗流する、
ｄ）容器（２）の端部をバイパス管（１１８）に接続して１つの閉鎖ガス循環路を形成し、このガス循環路において絶対湿度量がそれ以上は上昇しない最終値（Ｘmax）に達するまで加熱ガス（Ｈ）を循環させる、
ｅ）容器（２）をガス循環路から分離する、
ｆ）続いて容器（２）の両端を流体密に閉鎖する、を有する容器（２）内に燃料棒（２０）または燃料棒部分をカプセル化する方法。
【請求項２】
容器（２）を閉鎖する前に改めて洗流ガス（Ｇ）で洗流する請求項１記載の方法。
【請求項３】
工程ｃ）およびｄ）を順次複数回周期的に実施し、各周期において工程ｃ）を、続いて工程ｄ）を実施する請求項１または２記載の方法。
【請求項４】
以下の工程：
ａ）複数の格子状のスペーサ（２２９）を有しかつ上側が開いたカプセルケース（２２２）内に容器（２）を装填する、
ｂ）カプセルケース（２２２）をフード（２３４）で流体密に閉鎖する、
ｃ）カプセルケースの内部に突出しフードを貫通して案内される吸引管（２３６）と流体的に接続される吸引ランス（２３２）を備えた蓋（２３０）をカプセルケース（２２２）の上に載置する、
ｄ）カプセルケース（２２２）内にある水を吸引ランス（２２３）で吸引する、
ｅ）カプセルケース（２２２）を洗流ガス（Ｇ）で洗流する、
ｆ）カプセルケース（２２２）を加熱ガス（Ｈ）で絶対湿度量（Ｘ）が所定の限界値（Ｘg）に達するまで洗流する、
ｇ）蓋（２３０）をカプセルケース（２２２）に溶接し、蓋（２３０）内にあり吸引ランス（２３２）まで通じている開口（２３７）をフード（２３４）内に支承された溶接装置（２４０）で溶接する、を有するそれぞれ燃料棒（２０）または燃料棒部分を内部にカプセル化した容器（２）の貯蔵方法。
【請求項５】
工程ｅ）およびｆ）を順次複数回周期的に実施し、各周期において工程ｅ）を、続いて工程ｆ）を実施する請求項４記載の方法。
【請求項６】
以下の特徴：
ａ）装置が第１および第２室（５０、５２）を有する、
ｂ）第１および第２室（５０、５２）が互いに間隔を置いて１つの共通のシステム軸（５３）上に配置される、
ｃ）第１および第２室（５０、５２）がこれらの室（５０、５２）に通じている容器（２）の自由端を収容するための第１もしくは第２の開口（５６、５７）を備えており、第１および第２室（５０、５２）がこれらの間に配置された容器（２）において専らこの容器自体を介して流体的に互いに接続される、
ｄ）第１室（５０）は洗流ガス（Ｇ）のための導入管（６６）に、第２室（５２）はその排出管（６９）に接続される、
ｅ）導入管（６６）および排出管（６９）は室（５０、５２）外にあるバイパス管（１１８）を介して１つの閉鎖ガス循環路が形成されるように互いに接続され、このガス循環路内にある加熱ガス（Ｈ）を循環および加熱するためのポンプ（１４０）および加熱装置（１４２）がガス循環路内に配置される、
ｆ）ガス循環路内に第２室からバイパス管（１１８）に流入する加熱ガス（Ｈ）の絶対湿度量を検出するための測定装置が配置される、
ｇ）各室（５０、５２）が容器（２）を閉鎖するための手段を有する、を有する、容器（２）内に燃料棒（２０）または燃料棒部分をカプセル化するための装置。
【請求項７】
第１および第２室（５０、５２）がシステム軸（５３）に沿って接続管（１００）を介して互いに固定的に接続され、容器（２）の自由端が接続管（１００）を突出するように容器（２）が接続管に装入される請求項６記載の装置。
【請求項８】
容器（２）と接続管（１００）の間に少なくとも１つのパッキン材（１１６）が配置され、このパッキン材が室（５０、５２）を専ら容器（２）を介して流体的に互いに接続するように調整可能にされる請求項７記載の装置。
【請求項９】
接続管（１００）の両端に可調整パッキン材（１１６）が配置され、容器（２）と接続管（１００）の間に円筒状の空隙（１１９）が形成され、この空隙が室（５０、５２）に対して流体密に閉鎖される請求項８記載の装置。
【請求項１０】
以下の特徴：
ａ）複数の格子状のスペーサを有するカプセルケース（２２２）、
ｂ）カプセルケース（２２２）を流体密に閉鎖するためのフード（２３４）、
ｃ）カプセルケース（２２２）内にある水を吸引するためフード（２３４）およびこのフード（２３４）内を移動可能に支承された蓋（２３０）を貫通する吸引ランス（２３２）、
ｄ）フード（２３４）が洗流ガス（Ｇ）および加熱ガス（Ｈ）のための導入口（６６）および排出口（６９）を有する、
ｅ）排出口に容器（２）から出る加熱ガス（Ｈ）の絶対湿度量（Ｘ）を測定するための測定装置が配置される、  ｆ）フード（２３４）内に、前記蓋（２３０）を前記カプセルケース（２２２）上に載置し、かつ前記蓋（２３０）を前記カプセルケース（２２２）と溶接するための手段が配置される、を有する、それぞれ燃料棒（２０）または燃料棒部分を内部にカプセル化した複数の容器（２）を流体密に貯蔵するための装置。
【手続補正２】
【補正対象書類名】明細書
【補正対象項目名】００２４
【補正方法】変更
【補正の内容】
【００２４】
閉鎖部材１０を備えた容器２は第２室５２内において閉鎖部材１０に適合された収容部２００に回転不能に支承されている。第１室５０には操作工具２２０が装入され、この工具は閉鎖部材１０に回転トルクを与えるように係合し、この工具により両閉鎖部材１０は容器２に気密な最終位置にねじ込まれる。
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
光硬化性組成物であって、
ａ）ソルダーフォトレジスト成分と、
ｂ）シリコーン−ポリエーテルブロックコポリマーであって、シリコーンブロックを、前記コポリマーの３５重量％以上の割合で含み、１００重量部の光硬化性組成物に対して、０．１〜５重量部のシリコーン−ポリエーテルブロックコポリマーと、
ｃ）光開始剤と、
ｄ）１００重量部の前記光硬化性組成物に基づいて、５〜４０重量部の熱硬化性樹脂と、を含む、光硬化性組成物。
【請求項２】
前記シリコーン−ポリエーテルブロックコポリマーが、式ＡＳＩＬａ−ＢＰＥｂ、又はＢＰＥｂ−ＡＳＩＬａ−ＢＰＥｂの直鎖状又は分枝鎖状コポリマーであり、式中、ＡＳＩＬはシリコーンブロックを表し、ＢＰＥはポリエーテルブロックを表し、ａ及びｂはそれぞれのブロックの重量のパーセント値である、請求項１に記載の光硬化性組成物。
【請求項３】
前記シリコーン−ポリエーテルブロックコポリマーが、以下の式のものである、請求項１に記載の光硬化性組成物。
【化１】
2015513690.tif 000001
［式中、
各Ｒ１は、独立して、アルキル及びアリールから選択され、
各Ｒ２は、独立して、アルキル、アリール及びポリエーテルブロックから選択され、
ｘは３〜１００であり、
ｙは０〜２０であるが、ただし、少なくとも１つのＲ２基はポリエーテルブロックであることを条件とする。］
【請求項４】
前記シリコーン−ポリエーテルブロックコポリマーが、以下の式のもので構成される、請求項１に記載の光硬化性組成物。
【化２】
2015513690.tif 000002
［式中、
各Ｒ１は、独立して、アルキル及びアリールから選択され、
各Ｒ３は、ポリエーテルブロックであり、
ｘは３〜１００であり、
ｚは１〜２０である。］
【請求項５】
前記シリコーン−ポリエーテルブロックコポリマーが、以下の（ＡＳＩＬ）ａ−（ＢＰＥ）ｂブロック式で構成される、請求項１に記載の光硬化性組成物。
【化３】
2015513690.tif 000003
［式中、
各Ｒ１は、独立して、アルキル及びアリールから選択され、
各Ｒ３は、ポリエーテルブロックであり、
ｘは３〜１００である。］
【請求項６】
前記ポリエーテルブロックが、以下の式のもので構成される、請求項１に記載の光硬化性組成物。
【化４】
2015513690.tif 000004
［式中、
ｎは２〜４であり、
ｗは２〜５０であり、
Ｒ５は、Ｈ、アルキル、又はアリールであり、
Ｑは、−Ｏ−、−ＮＲ６−、−ＣｍＨ２ｍＯ−及び−ＣｍＣＨ２ｍ（ＯＨ）Ｃ２Ｈ４Ｘ−から選択される２価結合基であり、式中、Ｒ６は、Ｈ、アルキル又はアリールであり、各ｍは独立して１〜４であり、Ｘは−Ｏ−、−Ｓ−、又は−ＮＲ６−である。］
【請求項７】
ａ）金属ベース基板と、
ｂ）フォトツールと、
ｃ）それらの間に配置される請求項１に記載の光硬化性組成物の層と、を備える、多層物品。
【請求項８】
前記フォトツールの表面上に配置されるハードコートを更に含む、請求項７に記載の多層物品。
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
第１目像及び第２目像を含む立体像を表示面上に表示させるディジタル立体表示システムの看者が使用するフィルタ眼鏡であって、
表示面に対向するように配置された前面及びその裏側に位置する背面を有し、第１目像からの光を実質的に透過させる一方第２目像からの光を阻止する透過特性を呈する第１目フィルタと、
表示面に対向するように配置された前面及びその裏側に位置する背面を有し、第２目像からの光を実質的に透過させる一方第１目像からの光を阻止する透過特性を呈する第２目フィルタと、
アーム及びリムを有するフレームであって、アームがリムから水平軸に沿って延在し、第１目フィルタが看者の第１目面前に位置し第２目フィルタが看者の第２目面前に位置するよう実装され、第１目フィルタ及び第２目フィルタの上端が第１目フィルタ及び第２目フィルタの下端よりも、リムの反対側にあってアームの端部に交差する鉛直面の近くに位置するように第１目フィルタ及び第２目フィルタがリムによって鉛直軸に対し傾斜角をもって保持され、表示面からの光のうち第１目フィルタ及び第２目フィルタによって反射された光が、水平軸に対し上方に向けられ、その看者の前方かつ同じ高さに着席している別の看者の頭部を越えるように実装されるフレームと、
を備え、
その傾斜角が、シアター内のスクリーンの位置に対する着席場所のシアター内における位置に基づいた量であるフィルタ眼鏡。
【請求項２】
請求項１記載のフィルタ眼鏡であって、対応する赤色、緑色及び青色第１目スペクトル帯を有する狭帯域固体赤色、緑色及び青色第１目光輻射器を用い第１目像が、また対応する赤色、緑色及び青色第２目スペクトル帯を有する狭帯域固体赤色、緑色及び青色第２目光輻射器を用い第２目像が形成され、第１目スペクトル帯が第２目スペクトル帯に対し実質非重複であるフィルタ眼鏡。
【請求項３】
請求項２記載のフィルタ眼鏡であって、第１目フィルタが、第１目スペクトル帯を実質的に透過させる一方第２目スペクトル帯を反射させるように構成され、第２目フィルタが、第２目スペクトル帯を実質的に透過させる一方第１目スペクトル帯を反射させるように構成されるフィルタ眼鏡。
【請求項４】
請求項３記載のフィルタ眼鏡であって、第１目フィルタが、第１目スペクトル帯に属する光の６０％以上を透過させる一方第２目スペクトル帯に属する光の６０％以上を反射させるように構成され、第２目フィルタが、第２目スペクトル帯に属する光の６０％以上を透過させる一方第１目スペクトル帯に属する光の６０％以上を反射させるように構成されるフィルタ眼鏡。
【請求項５】
請求項１記載のフィルタ眼鏡であって、表示面からの光のうち第１目フィルタ及び第２目フィルタによって光が表示面の上部より上方に向かうよう傾斜角が設定されているフィルタ眼鏡。
【請求項６】
請求項１記載のフィルタ眼鏡であって、更に、看取環境に漏洩した光が第１目フィルタ及び第２目フィルタの背面に射突する現象を少なくとも部分的に抑えるべくフレーム上に実装及び配置された不透明なサイドシールドを備えるフィルタ眼鏡。
【請求項７】
請求項１記載のフィルタ眼鏡であって、第１目フィルタ及び第２目フィルタを受容するよう且つ第１目フィルタ及び第２目フィルタが所定の傾斜角を呈するよう、成形可能素材を用いた成形でそのフレームが形成されているフィルタ眼鏡。
【請求項８】
請求項１記載のフィルタ眼鏡であって、第１目フィルタ及び第２目フィルタの傾斜角を調整できるようそのフレームにヒンジ機構が備わるフィルタ眼鏡。
【請求項９】
請求項１記載のフィルタ眼鏡であって、その傾斜角が鉛直線に対し２０°以下であるフィルタ眼鏡。
【請求項１０】
請求項１記載のフィルタ眼鏡であって、第１目フィルタ及び第２目フィルタの前面、背面又はその双方が平坦面であるフィルタ眼鏡。
【請求項１１】
請求項１記載のフィルタ眼鏡であって、第１目フィルタ及び第２目フィルタの前面、背面又はその双方が曲面であるフィルタ眼鏡。
【請求項１２】
請求項１記載のフィルタ眼鏡であって、第１目フィルタ、第２目フィルタ又はその双方が、ダイクロイックフィルタスタックを含め複数個の層を以て形成されているフィルタ眼鏡。
【請求項１３】
請求項１記載のフィルタ眼鏡であって、第１目フィルタ、第２目フィルタ又はその双方が１個又は複数個の吸収フィルタ層を有するフィルタ眼鏡。
【請求項１４】
請求項１記載のフィルタ眼鏡であって、第１目フィルタ及び第２目フィルタが、それぞれ、ダイクロイックフィルタスタック及び１個又は複数個の吸収フィルタ層を含め複数個のフィルタ層を以て形成されているフィルタ眼鏡。
【請求項１５】
請求項１４記載のフィルタ眼鏡であって、吸収フィルタ層のうち幾つかが対応するダイクロイックフィルタスタックと看者の目の間に位置するフィルタ眼鏡。
【請求項１６】
請求項１５記載のフィルタ眼鏡であって、第１目フィルタが、第２目像に発し第１目フィルタにおける看者の第１目側の面に入射した光のうち５０％未満を反射させるように構成され、第２目フィルタが、第１目像に発し第２目フィルタにおける看者の第２目側の面に入射した光のうち５０％未満を反射させるように構成されるフィルタ眼鏡。
【請求項１７】
請求項１記載のフィルタ眼鏡であって、そのディジタル立体表示システムがディジタル立体投射システムであるフィルタ眼鏡。
【請求項１８】
請求項１記載のフィルタ眼鏡であって、その傾斜角が鉛直軸に対し５°〜３７°の範囲内であるフィルタ眼鏡。
【請求項１９】
シアター内の表示面から、シアター内にいる装着者のフィルタ眼鏡の第１目フィルタを経てきた第１目像についての情報を有する光を透過させ、
その表示面から、その装着者のフィルタ眼鏡の第２目フィルタを経てきた第２目像についての情報を有する光を透過させ、
第１目像についての情報を有する光が第２目フィルタを透過しないように阻止し、
第２目像についての情報を有する光が第１目フィルタを透過しないように阻止し、
第１目像についての情報を有する光を第２目フィルタによって反射し、第２目像についての情報を有する光を第１目フィルタによって反射し、第１目像についての情報を有する光及び第２目像についての情報を有する光が反射される方向が、その表示面から離れる方向であって、かつそのシアター内においてその装着者の前方にいる他の装着者から離れる方向であることを含み、
第１目フィルタ及び第２目フィルタの下方部分が第１目フィルタ及び第２目フィルタの上方部分よりも、表示面の近くに配置されるように第１目フィルタ及び第２目フィルタが鉛直軸に対し傾斜角をもって傾斜させられている、方法。
【請求項２０】
請求項１９記載の方法であって、さらに、
表示面からの光の画質を低下させないように表示面から離れる方向に、第１目像についての情報を有する光及び第２目像についての情報を有する光をシアター内にいる複数の装着者の複数個のフィルタ眼鏡によって反射することを含み、
その複数個の眼鏡が第１目フィルタ及び第２目フィルタを含み、第１目フィルタ及び第２目フィルタの下方部分が第１目フィルタ及び第２目フィルタの上方部分よりも、表示面の近くに配置されるように第１目フィルタ及び第２目フィルタが傾斜角をもって傾斜させられている、方法。
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
左目光輻射器からの左目像及び右目光輻射器からの右目像を含む立体像を表示面に向かって出力する立体表示システムで使用されるフィルタ眼鏡であって、
外側端と内側端とがあるフレームであって、外側端は内側端よりも表示面の近くに配置可能であり、内側端は外側端よりもフィルタ眼鏡着用者の目の近くに配置可能であり、左目フィルタと右目フィルタを備えたフレームを備え、
左目フィルタが、左目光輻射器からの光のうち６０％以上を透過させる一方右目光輻射器からの光のうち６０％以上を反射するように構成されている左目ダイクロイックフィルタスタック、並びに左目光輻射器からの光が透過する割合が右目光輻射器からの光が透過する割合に比し大きいように構成されている左目吸収フィルタ層を含み、左目ダイクロイックフィルタスタックは、左目吸収フィルタ層よりも内側端の近くに配置され、左目吸収フィルタ層は、外側端に配置又は左目ダイクロイックフィルタスタックよりも外側端の近くに配置され、
右目フィルタが、右目光輻射器からの光のうち６０％以上を透過させる一方左目光輻射器からの光のうち６０％以上を反射するように構成されている右目ダイクロイックフィルタスタック、並びに右目光輻射器からの光が透過する割合が左目光輻射器からの光が透過する割合に比し大きいように構成されている右目吸収フィルタ層を含み、右目ダイクロイックフィルタスタックは、右目吸収フィルタ層よりも内側端の近くに配置され、右目吸収フィルタ層は、外側端に配置又は右目ダイクロイックフィルタスタックよりも外側端の近くに配置され、
右目吸収フィルタ層及び左目吸収フィルタ層は、表示面からの不要光を、右目ダイクロイックフィルタスタック及び左目ダイクロイックフィルタスタックに到達するよりも前に吸収し、右目ダイクロイックフィルタスタック及び左目ダイクロイックフィルタスタックが不要光を表示面のほうに反射しないように構成されている、フィルタ眼鏡。
【請求項２】
請求項１記載のフィルタ眼鏡であって、左目フィルタが、右目光輻射器に発し左目フィルタに入射する光のうち表示面方向から来る光の５０％未満を反射させるように構成され、右目フィルタが、左目光輻射器に発し右目フィルタに入射する光のうち表示面方向から来る光の５０％未満を反射させるように構成されているフィルタ眼鏡。
【請求項３】
請求項１記載のフィルタ眼鏡であって、左目吸収フィルタ層のうち少なくとも幾層かが左目ダイクロイックフィルタスタック・看者左目間にあり、右目吸収フィルタ層のうち少なくとも幾層かが右目ダイクロイックフィルタスタック・看者右目間にあるフィルタ眼鏡。
【請求項４】
請求項３記載のフィルタ眼鏡であって、左目フィルタが、右目光輻射器に発し左目フィルタの看者左目に最も近い面に入射する光の５０％未満を反射させるように構成され、右目フィルタが、左目光輻射器に発し右目フィルタの看者右目に最も近い面に入射する光の５０％未満を反射させるように構成されているフィルタ眼鏡。
【請求項５】
請求項１記載のフィルタ眼鏡であって、左目ダイクロイックフィルタスタックが左目基板の片側、左目吸収フィルタ層のうち少なくとも幾層かが左目基板の他側にあり、右目ダイクロイックフィルタスタックが右目基板の片側、右目吸収フィルタ層のうち少なくとも幾層かが右目基板の他側にあるフィルタ眼鏡。
【請求項６】
請求項１記載のフィルタ眼鏡であって、右目フィルタ及び左目フィルタのフィルタ層が、更に、抗反射被覆を形成する１個又は複数個のフィルタ層を含むフィルタ眼鏡。
【請求項７】
請求項６記載のフィルタ眼鏡であって、その抗反射被覆が、対応するダイクロイックフィルタスタックの一部として形成されるフィルタ眼鏡。
【請求項８】
請求項１記載のフィルタ眼鏡であって、左目ダイクロイックフィルタスタック及び右目ダイクロイックフィルタスタックが、誘電体、金属、金属酸化物、非金属酸化物、又はその組合せに該当する素材を真空堆積させた層を含むフィルタ眼鏡。
【請求項９】
請求項１記載のフィルタ眼鏡であって、フィルタ層のうち少なくとも一層がナノ粒子溶液により堆積されているフィルタ眼鏡。
【請求項１０】
請求項１記載のフィルタ眼鏡であって、左目ダイクロイックフィルタスタック及び右目ダイクロイックフィルタスタックが素材押し出しで製造されているフィルタ眼鏡。
【請求項１１】
請求項１記載のフィルタ眼鏡であって、左目吸収フィルタ層、右目吸収フィルタ層又はその双方が吸収性顔料又は吸収性染料を含むフィルタ眼鏡。
【請求項１２】
請求項１記載のフィルタ眼鏡であって、左目吸収フィルタ層、右目吸収フィルタ層又はその双方がメタマテリアル又はフォトニック結晶を含むフィルタ眼鏡。
【請求項１３】
請求項１記載のフィルタ眼鏡であって、左目吸収フィルタ層及び右目吸収フィルタ層がナノ粒子を含むフィルタ眼鏡。
【請求項１４】
請求項１３記載のフィルタ眼鏡であって、そのナノ粒子がウイルス又はタンパク質分子を含むフィルタ眼鏡。
【請求項１５】
請求項１記載のフィルタ眼鏡であって、左目光輻射器及び右目光輻射器が固体レーザ又はＬＥＤを含むフィルタ眼鏡。
【請求項１６】
請求項１記載のフィルタ眼鏡であって、左目スペクトル帯及び右目スペクトル帯の半値全幅帯域幅が１５ｎｍ未満であるフィルタ眼鏡。
【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
神経調節治療のための発生器システムであって、
エネルギ送出チャネルと、ディスプレイと、発生器コンソールを神経調節デバイスと動作可能に結合するように構成された少なくとも１つのポートとを含む発生器コンソールであって、該発生器コンソールが、該エネルギ送出チャネルを通して該神経調節デバイスの電極にエネルギを送出するように構成され、該ディスプレイが、エネルギ送出中に該エネルギ送出チャネルの動作条件を示すように構成される発生器コンソールと、
前記発生器コンソールを担持するように構成されたスタンドアセンブリとを備え、
該スタンドアセンブリが、
前記発生器コンソールの一部分を受け入れるように構成された凹部部分を有する本体部分であって、前記凹部部分が、該凹部部分から離れるように突出しかつロック配置とアンロック配置の間で移動可能な複数のバネ仕掛けロッキング部材を有し、該ロッキング部材が、該ロッキング部材が前記ロック配置にあるとき前記発生器コンソールに取外し可能に取りつけられるように構成された本体部分と、
前記本体部分を支持するベース部分と、
前記ロッキング部材と動作可能に結合された解除機構であって、前記ロック配置と前記アンロック配置の間で前記ロッキング部材を移動させ前記スタンドアセンブリから前記発生器コンソールを外すように操作されるように構成される解除機構と、を有している、
ことを特徴とする発生器システム。
【請求項２】
前記発生器コンソールが前記ロッキング部材と整列されて前記凹部部分に受け入れられるとき、前記ロッキング部材が前記発生器コンソールとの前記ロック配置に自動的に移動するように構成されている、
請求項１に記載の発生器システム。
【請求項３】
前記ロッキング部材は、該ロッキング部材が前記発生器コンソールに接続された前記ロック配置まで移動すると、可聴音を発するように構成されている、
請求項１に記載の発生器システム。
【請求項４】
前記本体部分の前記凹部部分は、前記発生器コンソールが前記ロッキング部材と整列されたとき該発生器コンソールの対応する部分と連動するように構成された複数の突起を更に備えている、
請求項１に記載の発生器システム。
【請求項５】
前記発生器コンソールから離間し、かつそれに通信可能に結合されたケーブルインタフェースモジュールを更に備え、
前記ケーブルインタフェースモジュールは、前記発生器コンソールを前記神経調節デバイスと動作可能に結合するように構成されている、
請求項１に記載の発生器システム。
【請求項６】
前記エネルギ送出チャネルは、前記神経調節デバイスの複数の電極に対応する複数の無線周波数（ＲＦ）チャネルの１つであり、
前記ディスプレイは、エネルギ送出中にリアルタイムで各ＲＦチャネルの少なくとも１つの動作パラメータを数字に示すように構成され、該動作パラメータは、該ＲＦチャネルの温度測定値及び／又はインピーダンス測定値に関連付けられている、
請求項１に記載の発生器システム。
【請求項７】
前記エネルギ送出チャネルは、前記神経調節デバイスの複数の電極に対応する複数の無線周波数（ＲＦ）チャネルの１つであり、
前記ディスプレイは、エネルギ送出中に周期的間隔で各ＲＦチャネルの少なくとも１つの動作パラメータの動的ローリング表示を提供するように構成され、該動作パラメータは、該ＲＦチャネルの温度測定値及び／又はインピーダンス測定値に関連付けられている、
請求項１に記載の発生器システム。
【請求項８】
前記ディスプレイは、前記動作条件の１つが予め決められた温度及び／又はインピーダンス範囲の外にあるとき視覚的及び／又は可聴的に表示を行うように構成されている、
請求項１に記載の発生器システム。
【請求項９】
前記エネルギ送出チャネルは、前記神経調節デバイスの４つの電極に対応する４つの無線周波数（ＲＦ）チャネルの１つであり、
前記ディスプレイは、タッチスクリーンを含み、該タッチスクリーンは、ユーザから入力を受け入れてエネルギ送出を作動及び／又は調節するように構成され、エネルギ送出中に、該ディスプレイは、リアルタイムで各ＲＦチャネルに対応する少なくとも１つの動作パラメータを数字でかつグラフィックで示すように構成され、
前記複数のロッキング部材は、前記アンロック配置から前記凹部部分内の対応する開口部内の前記ロック配置まで移動するように構成された少なくとも４つのラッチを有し、前記ロッキング部材は、前記発生器コンソールが前記ロッキング部材と位置合わせされて前記凹部部分に受け入れられたとき自動的に前記発生器コンソールと係合するように構成され、かつ前記ロッキング部材は、前記ロッキング部材が前記発生器コンソールに取りつけられると可聴音を発するように構成され、
前記スタンドアセンブリの前記ベース部分は、複数のホイールを備えている、
請求項１に記載の発生器システム。
【請求項１０】
前記発生器コンソールは、該発生器コンソールから離間したモニターに通信可能に結合され、
前記ディスプレイ及び前記モニターは、様々なレベルの特殊性において前記エネルギ送出チャネルの動作条件を例示するように構成され、該ディスプレイは、該動作パラメータの前記モニターよりも少ない詳細を例示するように構成される、
請求項１に記載の発生器システム。
【請求項１１】
前記ポートに対して近位であり、かつ前記神経調節デバイスのＲＦＩＤタグを読み込んで前記神経調節デバイスを識別するように構成されたＲＦＩＤモジュールを更に備えている、
請求項１に記載の発生器システム。
【請求項１２】
腎神経調節治療のための発生器システムであって、
複数のエネルギ送出チャネルと、ディスプレイと、腎神経調節デバイスに発生器コンソールを動作可能に結合するように構成された少なくとも１つのポートとを有する発生器コンソールであって、該発生器コンソールが、前記エネルギ送出チャネルを通して前記腎神経調節デバイスの複数の電極にエネルギを送出するように構成され、エネルギ送出中に、前記ディスプレイが、前記エネルギ送出チャネルの動作条件を示すように構成される発生器コンソールと、
前記ディスプレイ及び前記発生器コンソールを担持するように構成されたカートであって、前記発生器コンソールのベース部分を受け入れてそれと嵌合するように構成された凹部部分を有する本体部分と、前記発生器コンソールの前記ベース部分を前記本体部分と取外し可能に係合させるための手段と、前記発生器コンソールを取外し可能に係合させるための前記手段に動作可能に結合された係合解除機構であって、該係合解除機構が、前記カートから該発生器コンソールを外すためにユーザによって操作されるように構成される前記係合解除機構と有する前記カートと、を備えている、
ことを特徴とする発生器システム。
【請求項１３】
前記発生器コンソールを前記本体部分と取外し可能に係合させるための前記手段は、該発生器コンソールが該本体部分に取りつけられると可聴音を発するように更に構成されている、
請求項１２に記載の発生器システム。
【請求項１４】
前記発生器コンソールを前記本体部分と解除可能に係合させるための前記手段は、前記発生器コンソールの前記ベース部分が前記凹部部分内に受け入れられる時に該発生器コンソールと自動的に係合する、
請求項１２に記載の発生器システム。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
基材と、
該基材上のポリマーフィルムと、
該ポリマーフィルム上のインクジェットで印刷された複数の導電線によって形成された導電性メッシュと、を含む、透明体であって、
少なくとも１つのインクジェットで印刷された導電線が、少なくとも１つの他のインクジェットで印刷された導電線と交差し、そして、
該導電性メッシュが、約０．１５〜約１、０００Ω／□の範囲のシート抵抗を有する、透明体。
【請求項２】
該透明体が、電磁気干渉（ＥＭＩ）シールドを提供するように構成されている、請求項１に記載の透明体。
【請求項３】
該インクジェットで印刷された複数の導電線が、少なくとも１つのインクジェットで印刷された導電線を電流が通る場合に、該透明体を加熱することによって、該透明体から氷を除く（ｄｅ−ｉｃｅ）ように構成されている、請求項１に記載の透明体。
【請求項４】
該インクジェットで印刷された複数の導電線が、インクジェットで印刷された金属を含む、請求項１に記載の透明体。
【請求項５】
該インクジェットで印刷された複数の導電線が、Ｃｕ、Ａｕ、Ｎｉ、Ａｇおよびそれらの組み合わせからなる群から選択された金属を含む、請求項１に記載の透明体。
【請求項６】
該ポリマーフィルム上の被覆層と、
該被覆層と該ポリマーフィルムとの間の第１の結合フィルムと、
該ポリマーフィルムと該基材との間の第２の結合フィルムと、
をさらに含む、請求項１に記載の透明体。
【請求項７】
該透明体が、約６０％以上の可視光線透過率を有する、請求項１に記載の透明体。
【請求項８】
透明体を調製する方法であって、
ポリマーフィルムと基材とを共に積層させることを含み、
導電性メッシュが該ポリマーフィルム上にインクジェットで印刷された複数の導電線によって形成されている、方法。
【請求項９】
該ポリマーフィルムと該基材とを共に積層させることが、被覆層と第１の結合フィルムと該ポリマーフィルムと第２の結合フィルムと該基材とを共に積層させることを含む、請求項８に記載の方法。
【請求項１０】
該被覆層と該第１の結合フィルムと該ポリマーフィルムと該第２の結合フィルムと該基材とを共に積層させることが、
該ポリマーフィルムと該第２の結合フィルムと該基材とを共に積層させて積層した基材を形成させることと、
該被覆層と該第１の結合フィルムとを共に積層させて、積層した被覆層を形成させることと、
該積層した基材と該積層した被覆層とを共に積層させることと、
を含む、請求項９に記載の方法。
【請求項１１】
基材であって、ガラス、ポリアクリレート、ポリカーボネート、またはポリウレタンを含む基材と、
該基材上のインクジェットで印刷された複数の導電線によって形成された導電性メッシュと、
を含む、透明体であって、
少なくとも１つのインクジェットで印刷された導電線が、少なくとも１つの他のインクジェットで印刷された導電線と交差し、そして、
該導電性メッシュが、約０．１５〜約１、０００Ω／□の範囲のシート抵抗を有する、透明体。
【請求項１２】
該導電性メッシュが、約０．２５〜約１、０００Ω／□の範囲のシート抵抗を有する、請求項１１に記載の透明体。
【請求項１３】
基材と、
該基材上のポリマーフィルムと、
該ポリマーフィルム上のインクジェットで印刷された複数の導電線によって形成された導電性メッシュと、を含む、透明体であって、
該インクジェットで印刷された複数の導電線は、銀を含まず、
少なくとも１つのインクジェットで印刷された導電線が、少なくとも１つの他のインクジェットで印刷された導電線と交差し、そして、
該導電性メッシュが、約０．０２〜約１、０００Ω／□の範囲のシート抵抗を有する、透明体。
【請求項１４】
請求項１１〜１３に記載の透明体を含む、飛行体。
【手続補正２】
【補正対象書類名】図面
【補正対象項目名】図５
【補正方法】変更
【補正の内容】
【図５】
2015513487.tif 000001
【手続補正３】
【補正対象書類名】図面
【補正対象項目名】図６
【補正方法】変更
【補正の内容】
【図６】
2015513487.tif 000002
【手続補正４】
【補正対象書類名】図面
【補正対象項目名】図７
【補正方法】変更
【補正の内容】
【図７】
2015513487.tif 000003
【手続補正５】
【補正対象書類名】図面
【補正対象項目名】図８
【補正方法】変更
【補正の内容】
【図８】
2015513487.tif 000004
【手続補正６】
【補正対象書類名】図面
【補正対象項目名】図９
【補正方法】変更
【補正の内容】
【図９】
2015513487.tif 000005
【手続補正７】
【補正対象書類名】図面
【補正対象項目名】図１０
【補正方法】変更
【補正の内容】
【図１０】
2015513487.tif 000006
【手続補正８】
【補正対象書類名】図面
【補正対象項目名】図１２
【補正方法】変更
【補正の内容】
【図１２】
2015513487.tif 000007
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
裏材層と、前記裏材層の片側の少なくとも一部に配置された再付着可能な接着剤層と、を含み、
前記再付着可能な接着剤層の一つの部分から、前記再付着可能な接着剤層の他の部分までの距離が増加するように、裏材層の一部分が手で伸長可能であり、
前記再付着可能な接着剤層が、前記裏材層が伸長した後も接着力が維持される、伸長性テープフラッグ。
【請求項２】
前記伸長可能な部分が一方向に少なくとも１００％伸長され得る、請求項１に記載の伸長性テープフラッグ。
【請求項３】
１００％伸長時の前記伸長可能な部分の応力が約１５ＭＰａ未満である、請求項１に記載の伸長性テープフラッグ。
【請求項４】
前記接着剤層が、不連続に存在し、
複数の前記接着剤層の部分の間に存在する前記裏材層の一部が、手で伸長可能である、請求項１に記載の伸長性テープフラッグ。
【手続補正書】
【提出日】平成28年1月19日(2016.1.19)
【手続補正１】
【補正対象書類名】特許請求の範囲
【補正対象項目名】全文
【補正方法】変更
【補正の内容】
【特許請求の範囲】
【請求項１】
ダッシュボードのディスプレイ画面を有する車両内で車両状態をグラフィック表示するためのシステムであって、
既定レベルを有する車両状態に関する情報を受信するように構成されたセンサと、
前記車両状態に関する情報を受信するように構成された、前記車両内のプロセッサと、
前記車両内のディスプレイ画面と、を具備し、前記プロセッサが該ディスプレイ画面に接続され、前記プロセッサが前記車両状態が前記既定レベルを超えているかどうかを決定するように構成され、前記プロセッサが、表示する正しい情報を決定し、前記プロセッサが前記センサから受信された前記情報に基づいて、ダッシュボードの前記ディスプレイ画面に表示された前記情報を変更するように構成され、
前記プロセッサが、使用される現在のユーザの車両の再現における実際の前記車両状態の画像再現物のコンピュータ・グラフィック再現により、前記車両及び前記車両状態の正確な再現を前記車両内のダッシュボードの前記ディスプレイ画面にグラフィック表示し、実際に使用される前記現在のユーザの車両を正確に再現するように、前記ダッシュボードの前記ディスプレイ画面に前記現在のユーザの車両の色及び特徴が表示され、前記ユーザが容易に前記車両状態を確認することを可能とし、
前記プロセッサが、前記ユーザに対し、ダッシュボードの前記ディスプレイ画面の再現された前記現在のユーザの車両において、グラフィック的に指令を提供し且つグラフィック的に問題箇所を示し、前記ディスプレイ画面に示される再現された前記現在のユーザの車両においてどこに問題が存在するかを示すことにより前記車両状態を修正する方法を示す、システム。
【請求項２】
前記センサは、開いたウィンドウを検出するように作動可能である、請求項１に記載のシステム。
【請求項３】
前記プロセッサに送信された前記車両状態に関する前記情報は開いたウィンドウである、請求項２に記載のシステム。
【請求項４】
前記車両のグラフィック再現は、前記ユーザにグラフィック表示されて、前記開いた車両ウィンドウを具体的に示す、請求項１に記載のシステム。
【請求項５】
前記プロセッサが、前記ウィンドウを如何にして閉じるかに関する指示を更に提供する、請求項４に記載のシステム。
【請求項６】
前記センサは、車両部品の清浄度レベルを測定するように作動可能である、請求項１に記載のシステム。
【請求項７】
前記プロセッサに送信された前記車両状態に関する前記情報は、既定レベルを超えた清浄度レベルである、請求項６に記載のシステム。
【請求項８】
前記車両のグラフィック再現は、前記ユーザにグラフィック表示されて、前記車両がクリーニングを必要とする箇所を具体的に示す、請求項７に記載のシステム。
【請求項９】
前記プロセッサが、クリーニングされるべき箇所を如何にクリーニングするかに関する指示を前記ユーザに更に提供する、請求項８に記載のシステム。
【請求項１０】
前記車両のグラフィック再現は、前記ユーザが運転している正確な車両の再現である、請求項１に記載のシステム。
【請求項１１】
ダッシュボードのディスプレイ画面と動的なレーダを有する車両内の車両状態をグラフィック表示するシステムであって、
既定レベルを有した清浄度状態に関する情報を受信するように構成された動的なレーダ・センサと、
前記清浄度状態に関する情報を受信するように構成された、前記車両内のプロセッサと、
前記車両内のディスプレイ画面と、を具備し、前記プロセッサが、前記ディスプレイ画面に接続され、前記プロセッサが、前記清浄度状態が前記既定レベルを超えているか否かを決定するように構成され、前記プロセッサが、表示すべき正しい情報を決定し、前記プロセッサが、前記動的なレーダ・センサから受信された前記情報に基づいてダッシュボードの前記ディスプレイ画面に表示された前記情報を変更するように構成され、
前記プロセッサが、使用される前記車両の再現された前記車両状態の画像再現のコンピュータ・グラフィック再現により前記車両の正確な再現を前記車両内のダッシュボードの前記ディスプレイ画面にグラフィック表示し、実際に使用される前記現在のユーザの車両を正確に再現すべく前記車両の色及び特徴が、ダッシュボードの前記ディスプレイ画面に表示され、前記ユーザが容易に前記車両状態を確認することを可能とし、
前記プロセッサが、前記動的なレーダを清浄する方法に関する指令をグラフィック的に提供し且つ前記プロセッサが、前記ディスプレイ画面に問題箇所をグラフィック表示する、システム。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
塩素含有フルオロポリマー並びに塩素及び酸素含有フルオロポリマーを含むコア層と、
前記コア層の１つの側に作用可能に結合される外側層であって、過フッ素化フルオロポリマーを含む前記外側層と
を備えることを特徴とする多層フィルム構造。
【請求項２】
前記塩素含有フルオロポリマーがポリクロロトリフルオロエチレン（ＰＣＴＦＥ）を含むことを特徴とする請求項１に記載の多層フィルム構造。
【請求項３】
前記塩素及び酸素含有フルオロポリマーが、ＰＣＴＦＥの付加による重合中に修飾されるペルフルオロアルコキシ（ＰＦＡ）を含むことを特徴とする請求項２に記載の多層フィルム構造。
【請求項４】
前記コア層の反対側に作用可能に結合される、過フッ素化フルオロポリマーを含む第２の外側層を更に備えることを特徴とする請求項１に記載の多層フィルム構造。
【請求項５】
両外側層のうちの少なくとも１つの過フッ素化フルオロポリマーがペルフルオロアルコキシ（ＰＦＡ）を含むことを特徴とする請求項４に記載の多層フィルム構造。
【請求項６】
両外側層のうちの他方の過フッ素化フルオロポリマーもＰＦＡを含むことを特徴とする請求項４に記載の多層フィルム構造。
【請求項７】
前記コア層が前記塩素含有フルオロポリマーと前記塩素及び酸素含有フルオロポリマーとの混合層であることを特徴とする請求項１に記載の多層フィルム構造。
【請求項８】
前記コア層が、少なくとも１つの塩素含有フルオロポリマー層と、少なくとも１つの塩素及び酸素含有フルオロポリマー層とを含むことを特徴とする請求項１に記載の多層フィルム構造。
【請求項９】
前記多層フィルム構造を透過する窒素ガスのフラックス速度が７ｃｃ／日／ｍ２／ａｔｍ未満であることを特徴とする請求項１に記載の多層フィルム構造。
【請求項１０】
前記多層フィルム構造を透過する窒素ガスのフラックス速度が１ｃｃ／日／ｍ２／ａｔｍ未満であることを特徴とする請求項９に記載の多層フィルム構造。
【請求項１１】
前記コア層の６０％〜９０％が前記塩素含有フルオロポリマーで構成されており、前記コア層の４０％〜１０％が前記塩素及び酸素含有フルオロポリマーで構成されていることを特徴とする請求項１に記載の多層フィルム構造。
【請求項１２】
前記多層フィルムの６０％〜９０％が前記コア層で構成されており、前記多層フィルムの４０％〜１０％が前記外側層で構成されていることを特徴とする請求項４に記載の多層フィルム構造。
【請求項１３】
１ミル〜７ミル（約0.0254〜約0.1778ミリメートル）の厚みを有することを特徴とする請求項１に記載の多層フィルム構造。
【請求項１４】
多層フィルム構造を製造するための方法であって、
複数のフィルム層を押出して、塩素含有フルオロポリマーと塩素及び酸素含有フルオロポリマーとを有するコア層と、前記コア層の１つの側に作用可能に結合される、過フッ素化フルオロポリマーを含む外側層とを形成することを備える方法。
【請求項１５】
前記複数のフィルム層を同時押出して、前記コア層及び前記外側層を同時に形成することを特徴とする請求項１４に記載の方法。
【請求項１６】
前記塩素含有フルオロポリマーが、ポリクロロトリフルオロエトレン（ＰＣＴＦＥ）及びエチレンクロロトリフルオロエチレン（ＥＣＴＦＥ）の少なくとも１つを含み、前記塩素及び酸素含有フルオロポリマーが、ＰＣＴＦＥの付加による重合中に修飾されるペルフルオロアルコキシ（ＰＦＡ）を含み、前記過フッ素化フルオロポリマーが、ペルフルオロアルコキシ（ＰＦＡ）及びフッ素化エチレンプロピレン（ＦＥＰ）の少なくとも１つを含むことを特徴とする請求項１４に記載の方法。
【請求項１７】
塩素含有フルオロポリマーと塩素及び酸素含有フルオロポリマーとを含むコア層と、
前記コア層の１つの側に作用可能に結合され、過フッ素化フルオロポリマーを含む外側層とを備える多層フィルムライナー壁を有するライナー。
【請求項１８】
前記ライナー壁を透過する窒素ガスのフラックス速度が１ｃｃ／日／ｍ２／ａｔｍ未満であることを特徴とする請求項１７に記載のライナー。
【請求項１９】
前記コア層が、前記塩素含有フルオロポリマーと前記塩素及び酸素含有フルオロポリマーとを含む混合層であることを特徴とする請求項１７に記載のライナー。
【請求項２０】
前記コア層が、少なくとも１つの塩素含有フルオロポリマー層と、少なくとも１つの塩素及び酸素含有フルオロポリマー層とを含むことを特徴とする請求項１７に記載のライナー。